(57)【特許請求の範囲】
【請求項１】
記憶媒体に記録された複数の画像ファイルに対応するサムネイル画像、および前記画像ファイルに対応して付された番号情報を前記サムネイル画像と対応付けて表示手段に一覧表示する表示制御手段と、
前記表示手段に前記情報が表示される情報表示モードが設定されている場合と、前記情報表示モードとは異なる動作モードが設定されている場合とで相異なる用途を有し、前記情報表示モードが設定されているときは前記表示手段に一覧表示される前記情報の表示切換のために用いられる第１および第２の操作部材と、
前記第１の操作部材の一度の操作入力に応じて、前記表示手段に一覧表示されている前記サムネイル画像および前記番号情報を第１の表示切換単位で表示切換する第１の表示切換制御手段と、
前記第２の操作部材の一度の操作入力に応じて、前記表示手段に一覧表示されている前記サムネイル画像および前記番号情報を前記第１の表示切換単位よりも大きな第２の表示切換単位で表示切換する第２の表示切換制御手段とを有し、
前記第１の表示切換制御手段は、前記第１の表示切換制御手段による表示切換に要する第１の時間よりも短い時間間隔で前記第１の操作部材が操作された場合に、前記表示手段に前記番号情報のみを一覧表示して表示切換を行なうことを特徴とする情報表示装置。
【請求項２】
記憶媒体に記録された複数の画像ファイルに対応するサムネイル画像、および前記画像ファイルに対応して付された番号情報を前記サムネイル画像と対応付けて表示手段に一覧表示する表示制御手段と、
前記表示手段に前記情報が表示される情報表示モードが設定されている場合と、前記情報表示モードとは異なる動作モードが設定されている場合とで相異なる用途を有し、前記情報表示モードが設定されているときは前記表示手段に一覧表示される前記情報の表示切換のために用いられる第１および第２の操作部材と、
前記第１の操作部材の一度の操作入力に応じて、前記表示手段に一覧表示されている前記サムネイル画像および前記番号情報を第１の表示切換単位で表示切換する第１の表示切換制御手段と、
前記第２の操作部材の一度の操作入力に応じて、前記表示手段に一覧表示されている前記サムネイル画像および前記番号情報を前記第１の表示切換単位よりも大きな第２の表示切換単位で表示切換する第２の表示切換制御手段とを有し、
前記第２の表示切換制御手段は、前記第２の表示切換制御手段による表示切換に要する第２の時間よりも短い時間間隔で前記第２の操作部材が操作された場合に、前記表示手段に前記番号情報のみを一覧表示して表示切換を行なうことを特徴とする情報表示装置。
【請求項３】
請求項１または２に記載の情報表示装置において、
前記第１の表示切換制御手段は、前記第１の操作部材の一度の操作入力に応じて、前記第１の表示切換単位として１つずつ情報の表示切換を行ない、
前記第２の表示切換制御手段は、前記第２の操作部材の一度の操作入力に応じて、前記第２の表示切換単位として前記表示手段に一覧表示されている全情報を切換えるページ単位の表示切換を行なうことを特徴とする情報表示装置。
【請求項４】
請求項１に記載の情報表示装置において、
前記第２の表示切換制御手段は、前記第２の表示切換制御手段による表示切換に要する第２の時間よりも短い時間間隔で前記第２の操作部材が操作された場合に、前記表示手段に前記番号情報のみを一覧表示して表示切換を行なうことを特徴とする情報表示装置。
【請求項５】
請求項２に記載の情報表示装置において、
前記第１の表示切換制御手段は、前記第１の表示切換制御手段による表示切換に要する第１の時間よりも短い時間間隔で前記第１の操作部材が操作された場合に、前記表示手段に前記番号情報のみを一覧表示して表示切換を行なうことを特徴とする情報表示装置。
【請求項６】
撮影光学系により形成された被写体像を光電変換して画像信号を出力する光電変換手段と、
前記画像信号に基づくファイルを生成し、記憶手段に記録する画像信号記録制御手段とを有する電子カメラにおいて、
請求項１〜５のいずれか一項に記載の情報表示装置をさらに有することを特徴とする電子カメラ。
【発明の詳細な説明】
【０００１】
【発明の属する技術分野】
本発明は、情報表示装置および電子カメラに関し、さらに詳しくは表示装置に表示される情報の検索に要する時間を短縮可能な情報表示装置およびこの情報表示装置を有する電子カメラに関する。
【０００２】
【従来の技術】
ＴＦＴ液晶パネルなどの表示装置を内蔵する電子カメラでは、撮影して不揮発性メモリに記録された画像データを読み出し、表示装置に表示、すなわち再生をすることができる。このため、撮影後すぐに画像を見ることができるので、満足な撮影結果が得られなければその場で再度撮影することができるという利便性を有する。
【０００３】
また、一般にＰＤＡあるいは電子手帳などと称されて、パーソナルコンピュータ等から転送して不揮発性メモリに記録しておいた画像情報や文字情報、あるいはスケジュール等の情報を表示可能な情報表示装置がある。
【０００４】
上述の電子カメラ、あるいは情報表示装置に用いられる不揮発性のメモリとして、一般的にフラッシュメモリが用いられる。このフラッシュメモリは、近年の半導体製造技術の進歩によって大容量化、低価格化が進んでいる。つまり、電子カメラや情報表示装置の内部に記憶保持可能な情報量は多くなりつつある。
【０００５】
【発明が解決しようとする課題】
ところが、上述のようにフラッシュメモリの容量が増すにつれ、必要な情報の検索操作性が低下するという問題点を生じている。その理由の一つとして、フラッシュメモリに記録されている情報を電子カメラや情報表示装置の本体内にあるＲＡＭ内に読み込むのに時間を要することがある。
【０００６】
このように時間を要することの主たる要因として、一つのファイル内に記憶される文字情報や画像情報の情報量が増しつつあることと、フラッシュメモリのアクセス速度がＲＡＭ等のアクセス速度に比べて遅いことが挙げられる。
【０００７】
目的とする情報を検索しようとしたときに、情報をフラッシュメモリから読み込んでは表示し、表示された内容が目的のものではないときには同じ操作を繰り返す必要がある。このときに、フラッシュメモリのアクセス速度がネックとなり、操作者は次の情報が表示されるまでの間、待たねばならず、これが情報の検索操作性を低下させていた。
【０００８】
本発明は、記録された情報の中から必要なものを検索する際の操作性を向上させることの可能な情報表示装置およびこの情報表示装置を備える電子カメラを提供することを目的とする。
【０００９】
【課題を解決するための手段】
一実施の形態を示す図２に対応付けて以下の発明を説明する。
（１）  請求項１に記載の発明に係る情報表示装置は、記憶媒体５６に記録された複数の画像ファイルに対応するサムネイル画像、および前記画像ファイルに対応して付された番号情報を前記サムネイル画像と対応付けて表示手段６２に一覧表示する表示制御手段５０および６０と；表示手段６２に情報が表示される情報表示モードが設定されている場合と、この情報表示モードとは異なる動作モードが設定されている場合とで相異なる用途を有し、情報表示モードが設定されているときは表示手段６２に一覧表示される情報の表示切換のために用いられる第１および第２の操作部材２５および２８と；第１の操作部材２５の一度の操作入力に応じて、表示手段６２に一覧表示されている前記サムネイル画像および前記番号情報を第１の表示切換単位で表示切換する第１の表示切換制御手段５０および６０と；第２の操作部材２８の一度の操作入力に応じて、表示手段６２に一覧表示されている前記サムネイル画像および前記番号情報を第１の表示切換単位よりも大きな第２の表示切換単位で表示切換する第２の表示切換制御手段５０および６０とを有し、第１の表示切換制御手段５０および６０は、前記第１の表示切換制御手段５０および６０による表示切換に要する第１の時間よりも短い時間間隔で前記第１の操作部材２５が操作された場合に、前記表示手段６２に前記番号情報のみを一覧表示して表示切換を行なうことにより上述した目的を達成する。
（２）  請求項２に記載の発明に係る情報表示装置は、記憶媒体５６に記録された複数の画像ファイルに対応するサムネイル画像、および前記画像ファイルに対応して付された番号情報を前記サムネイル画像と対応付けて表示手段６２に一覧表示する表示制御手段５０および６０と；表示手段６２に情報が表示される情報表示モードが設定されている場合と、この情報表示モードとは異なる動作モードが設定されている場合とで相異なる用途を有し、情報表示モードが設定されているときは表示手段６２に一覧表示される情報の表示切換のために用いられる第１および第２の操作部材２５および２８と；第１の操作部材２５の一度の操作入力に応じて、表示手段６２に一覧表示されている前記サムネイル画像および前記番号情報を第１の表示切換単位で表示切換する第１の表示切換制御手段５０および６０と；第２の操作部材２８の一度の操作入力に応じて、表示手段６２に一覧表示されている前記サムネイル画像および前記番号情報を第１の表示切換単位よりも大きな第２の表示切換単位で表示切換する第２の表示切換制御手段５０および６０とを有し、第２の表示切換制御手段５０および６０は、前記第２の表示切換制御手段５０および６０による表示切換に要する第２の時間よりも短い時間間隔で前記第２の操作部材２８が操作された場合に、前記表示手段６２に前記番号情報のみを一覧表示して表示切換を行なうことにより上述した目的を達成する。
（３）  請求項３に記載の発明に係る情報表示装置は、第１の表示切換制御手段５０および６０は、第１の操作部材２５の一度の入力操作に応じて、第１の表示切換単位として１つずつ情報の表示切換を行い、第２の表示切換制御手段５０および６０は、第２の操作部材２８の一度の入力操作に応じて、第２の表示切換単位として表示手段６２に一覧表示されている全情報を切換えるページ単位の表示切換を行うものである。
（４）  請求項４に記載の発明に係る情報表示装置は、第２の表示切換制御手段５０および６０は、第２の表示切換制御手段５０および６０による表示切換に要する第２の時間よりも短い時間間隔で第２の操作部材２８が操作された場合に、表示手段６２に番号情報のみを一覧表示して表示切換を行なうものである。
（５）  請求項５に記載の発明に係る情報表示装置は、第１の表示切換制御手段５０および６０は、第１の表示切換制御手段５０および６０による表示切換に要する第１の時間よりも短い時間間隔で前記第１の操作部材２５が操作された場合に、表示手段６２に番号情報のみを一覧表示して表示切換を行なうものである。
（６）  請求項６に記載の発明は、撮影光学系４２により形成された被写体像を光電変換して画像信号を出力する光電変換手段４７と；画像信号に基づくファイルを生成し、記憶手段５２および５６に記録する画像信号記録制御手段６０とを有する電子カメラに適用される。そして、請求項１〜５のいずれか１項に記載の情報表示装置をさらに有するものである。
【００１０】
なお、本発明の構成を説明する上記課題を解決するための手段の項では、本発明を分かり易くするために発明の実施の形態の図を用いたが、これにより本発明が実施の形態に限定されるものではない。
【００１１】
【発明の実施の形態】
図１〜図２を参照して本発明が適用される情報表示装置を備える電子カメラについて説明する。電子カメラ１００を被写体側から見た様子を示す図１（ａ）において、電子カメラ１００は大きく分けて本体部３０とカメラ部４０とで構成される。本体部３０とカメラ部４０とは回転軸ＡＸを介し、電子カメラ１００の左右方向に略平行な方向に延在する回動軸を中心として相対回動可能に連結されている。
【００１２】
本体部３０の上面にはレリーズスイッチ２６、削除スイッチ２１や表示モード切換スイッチ２２などのスイッチと、設定モード表示部１とが配設される。本体部３０に形成されるグリップ部３０ａの上側の部分には、ダイヤルスイッチ２８が配設される。このダイヤルスイッチ２８は、矢印ａで示されるように時計回り方向または半時計回り方向に回転操作可能である。このダイヤルスイッチ２８にはクリックストップ機構が設けられており、上述したいずれかの方向にダイヤルスイッチ２８を回転させると、そのときの回転方向とクリック数とに応じたパルスが発せられる。
【００１３】
カメラ部４０には、焦点距離可変の撮影レンズ４２、そして閃光装置４４などが配設される。
【００１４】
本体部３０の一部を背面側より見た様子を示す図１（ｂ）において、本体部３０の背面にはズームスイッチ２５が配設される。本体部３０の背面にはまた、ＴＦＴカラー液晶の表示部６２が配設される。この表示部６２は、撮影時にはビューファインダとして、再生時には記録された画像を表示するためのものとして用いられる。加えて表示部６２は、画像以外にも撮影条件やフラッシュメモリの残容量等の情報も表示可能である。
【００１５】
本体部３０の上面、レリーズスイッチ２６の基部には回転式のモード切換スイッチ２３が設けられる。このモード切換スイッチ２３は電子カメラ１００の電源スイッチも兼ねており、電源オフ（ＯＦＦ）、撮影モード（ＲＥＣ）、再生モード（ＰＬＡＹ）を選択することができる。
【００１６】
図２は、電子カメラ１００の内部構成を概略的に示すブロック図である。電子カメラ１００の動作を統括制御するＣＰＵ５０には、ダイヤルスイッチ２８と、レリーズスイッチ２６と、削除スイッチ２１と、表示モード切換スイッチ２２と、モード切換スイッチ２３と、ズームスイッチ２５とが接続される。ＣＰＵ５０にはまた、設定モード表示部１と、閃光装置４４とズーム駆動部４５とフォーカス駆動部４６とシャッタ４８と、ＣＣＤ４７と、ＡＳＩＣ６０とが接続される。上述したスイッチのうち、モード切換スイッチ２３を除くスイッチは、モード切換スイッチ２３が撮影モード位置にある場合と再生モード位置にある場合とでそれぞれ異なる機能が割り当てられている。
【００１７】
モード切換スイッチ２３が撮影モード位置にある場合における各スイッチの機能について説明する。ダイヤルスイッチ２８は、シャッタ速度や絞り値、あるいは露出補正量等の撮影条件を設定する際に用いられる。レリーズスイッチ２６は、操作者が撮影動作の開始指令を電子カメラ１００に発するために用いられる。削除スイッチ２１は、撮影して得られる画像データを後述するフラッシュメモリ５６に記録する際のデータ圧縮率を設定するために用いられる。表示モード切換スイッチ２２は、オートフォーカスモードを設定するために用いられる。ズームスイッチ２５は、撮影レンズの焦点距離を変化させるために用いられる。
【００１８】
モード切換スイッチ２３が再生モード位置にある場合における各スイッチの機能について説明する。ダイヤルスイッチ２８は、表示装置６２の表示内容を切り換える際に用いられる。レリーズスイッチ２６は、表示装置６２に表示される画像の表示モードを切り換える際に用いられる。削除スイッチ２１は、指定されたコマの画像を消去するために用いられる。表示モード切換スイッチ２２は、レリーズスイッチ２６と同様に、表示装置６２に表示される画像の表示モードを切り換える際に用いられる。ズームスイッチ２５は、表示装置６２に表示される画像を切り換える際に用いられる。
【００１９】
上記レリーズスイッチ２６、表示モード切換スイッチ２２の操作によって表示装置６２に表示される画像の表示モードが切り換えられる動作については後で詳しく説明する。また、ダイヤルスイッチ２８、ズームスイッチ２５の操作によって表示装置に表示される画像が切り換えられる動作についても後で詳しく説明する。
【００２０】
上述したスイッチのうち、レリーズスイッチ２６、削除スイッチ２１、表示モード切換スイッチ２２、モード切換スイッチ２３、そしてズームスイッチ２５は押されるとオンし、離されるとオフするモーメンタリ動作のプッシュスイッチである。この中でズームスイッチ２５は２回路のスイッチであり、図２のＴ側に倒すことで端子２５ａの側がオンする一方、Ｗ側に倒すことで端子２５ｂの側がオンするいわゆるシーソータイプのスイッチである。モード切換スイッチ２３は、回転式のスイッチで、モード切換スイッチ２３の位置に応じて撮影モード、ＯＦＦ、再生モードが設定される。
【００２１】
ダイヤルスイッチ２８は、基板２８ｄと、基板２８ｄに接触する３本のブラシ２８ａ、２８ｂおよび２８ｃとで構成される。ブラシ２８ａ、２８ｂおよび２８ｃのうち、ブラシ２８ｃは接地され、信号はブラシ２８ａおよび２８ｂから出力される。ダイヤルスイッチ２８の回転に伴い、ブラシ２８ａおよび２８ｂからは互いに位相のずれた２相のパルス信号が出力される。これら２相のパルス信号の位相差は、ダイヤルスイッチ２８の回転方向に応じて変化する。このため、ＣＰＵ５０はダイヤルスイッチ２８の回転方向とダイヤルスイッチ２８から出力されるパルス数とを検知することができる。
【００２２】
ＣＰＵ５０とＡＳＩＣ６０との間に敷設されるデータバスＤＢには、ＲＡＭ５２と、ＲＯＭ５４とが接続され、さらにコネクタ５６ａを介してカード状のフラッシュメモリ５６が電子カメラ１００に対して挿脱可能に接続される。
【００２３】
設定モード表示部１は、上述したスイッチを撮影者が操作することにより設定された撮影条件等の設定モードを表示するためのものである。閃光装置４４は、ＣＰＵ５０からの発光指令信号に基づいて閃光を発する。
【００２４】
ズーム駆動部４５は、ＣＰＵ５０から出力される制御信号に基づき、撮影レンズ４２を構成する複数のレンズ群をこれらレンズ群の光軸方向に相対移動させて撮影レンズ４２の焦点距離を変化させるためのものである。撮影レンズ４２には、設定された焦点距離に応じた信号を発するためのズームエンコーダ（不図示）が内蔵され、この信号はＣＰＵ５０に出力される。
【００２５】
フォーカス駆動部４６は、ＣＰＵ５０から出力される制御信号に基づいて撮影レンズ４２内のフォーカシングに係るレンズをその光軸方向に移動させるためのものである。
【００２６】
シャッタ４８は、撮影レンズ４２を経てＣＣＤ４７に入射する被写体光を遮断するためのものである。ＣＣＤ４７は、撮影レンズ４２によって形成される被写体像を光電変換し、アナログの画像信号をＡＳＩＣ６０に出力する。
【００２７】
ＡＳＩＣ６０は、ＣＣＤ６０より出力されるアナログ画像信号を所定のゲインで増幅してＡ／Ｄ変換し、画像データを生成する。ＡＳＩＣ６０はまた、この画像データに階調補正や画像圧縮等の画像処理を施し、フラッシュメモリ５６に記録する。表示部６２はＡＳＩＣ６０に接続されており、この表示部６２へ画像を表示する制御は、ＣＰＵ５０から出力される画像表示指令信号に応答してＡＳＩＣ６０により行われる。
【００２８】
ＲＡＭ５２には、ＣＰＵ５０およびＡＳＩＣ６０の双方からアクセス可能である。ＲＡＭ５２の記憶領域は、大きく分けてＣＰＵ５０用の作業領域とＡＳＩＣ６０用の作業領域とに分けられる。ＣＰＵ５０用の作業領域は、変数の一時記憶エリアおよびスタックエリアとして用いられる。ＡＳＩＣ６０用の作業領域は、撮影して得られる画像データを一時的に記憶し、階調補正や画像データ圧縮、あるいは圧縮画像データの伸長等の画像処理を施すためのエリアとして用いられる。ＲＯＭ５４には、ＣＰＵ５０が電子カメラ１００を統括制御するためのプログラム等が記憶される。なお、このＲＯＭ５４とともに不図示のフラッシュメモリを電子カメラ１００内に内蔵し、ＣＰＵ５０で実行されるプログラムをこのフラッシュメモリに記憶するものであってもよい。この場合、ＣＰＵ５０のプログラムはファームウェア化することができる。すなわち、不図示のインターフェイスを介して外部のコンピュータ等と接続し、必要に応じて更新、あるいは部分的に変更されたプログラムをこの内蔵フラッシュメモリにストアすることができる。
【００２９】
電子カメラ１００は、以上に説明したような内部構成を有する。なお、以下では電子カメラ１００が再生モードに設定されている場合について説明する。フラッシュメモリ５６に記録されている画像データに基づく画像を表示部６２に表示させる場合、操作者はまずモード切換スイッチ２３を操作して電子カメラ１００を再生モードに設定する。
【００３０】
ＣＰＵ５０は、モード切換スイッチ２３が再生位置にセットされるのに応答し、一番最後に撮影されたコマの画像データを表示部６２に表示するよう、ＡＳＩＣ６０に指令を発する。ＡＳＩＣ６０は、ＣＰＵ５０からの指令に応答し、フラッシュメモリ５６内に記録されている最終撮影コマの画像データを読み込む。フラッシュメモリ５６から読み込んだ画像データが圧縮画像データの場合、ＡＳＩＣ６０は圧縮画像データの伸長処理を行い、表示部６２にこの画像データに基づく画像を表示する。このとき、表示部６２に表示される画像は１コマ再生画像、あるいはフル画面表示画像と称される画像で、１コマ分の画像が表示部６２の表示エリアほぼ一杯に表示される。なお、以下の説明では１コマの画像を表示部６２の表示エリアほぼ一杯に表示することを「フル画面表示する」と称する。また、表示部６２にフル画面表示する表示モードを「フル画面表示モード」と称する。反対に、表示部６２の表示エリア内に比較的小さな画像を複数表示する一覧表示モードを「サムネイル表示モード」と称する。
【００３１】
以上のように、モード切換スイッチ２３が再生位置にセットされると、一番最後に撮影された画像が表示部６２にフル画面表示される。この状態で、操作者が表示モード切換スイッチ２２、ズームスイッチ２５、ダイヤルスイッチ２８を操作することにより、表示部６２に表示される画像の内容が以下に説明するように変化する。
【００３２】
フル画面表示モード時、ズームスイッチ２５を操作することにより表示部６２に表示されている画像の次、あるいは手前のコマ番の画像に表示画像を切り換えることができる。なお、コマ番とは撮影して得られる画像に付される通し番号のことを示し、本実施例においては撮影された順に番号が増してゆく。
【００３３】
ズームスイッチ２５は、前述したとおりシーソータイプのスイッチであり、「Ｗ」側に押すことにより一つ手前のコマ番の画像に表示切換でき、「Ｔ」側に押すことにより一つ先のコマ番の画像に表示切換することができる。なお、以下の説明ではズームスイッチ２５を「Ｗ」側に押す操作を「ダウン操作」と称し、「Ｔ」側に押す操作を「アップ操作」と称する。
【００３４】
また、所定のコマ番の画像が表示部６２にフル画面表示されている状態でダイヤルスイッチ２８を操作すると、表示部６２には、ダイヤルスイッチ２８の操作前に表示されていた画像に付随する情報、すなわち付随情報が表示される。逆に、表示部６２に付随情報が表示されている状態でダイヤルスイッチ２８を操作すると、表示部６２にはその付随情報に対応する画像がフル画面表示される。
【００３５】
上述したズームスイッチ２５のアップ操作により表示部６２に表示される画像の表示切換が行われる様子およびダイヤルスイッチ２８の操作に応答して表示部６２に表示される表示内容が変化する様子について図３を参照して説明する。なお、以下の説明では初期状態において表示部６２にはコマ番１の画像がフル画面表示されているものとする。また、図３（ａ）〜図３（ｂ）のそれぞれにおいて、かっこ付きの数字、つまり１）、２）、…が付されている枠のひとつひとつが表示部６２に表示される画像を模式的に表している。
【００３６】
図３（ａ）〜図３（ｃ）のそれぞれに示されるように、画像の右下部にはコマ番が表示される。そして、図３（ｂ）の２）および３）が付されている図の枠内が空白となっているのは、対応するコマ番の画像データに基づく画像が表示されず、コマ番のみが表示されることを示している。図３（ｃ）で２）の付されている図は、表示部６２に表示される付随情報の一例を示す。
【００３７】
図３（ａ）は、ズームスイッチ２５を比較的ゆっくりとした時間間隔でアップ操作した場合に表示部６２に表示される画像が変化する様子を示している。表示部６２に図３（ａ）の１）に示されるような画像が表示されている状態でズームスイッチ２５を１回アップ操作すると、表示部６２に表示される画像はたとえば図３（ａ）の２）に示されるように変化する。このとき、ＡＳＩＣ６０がフラッシュメモリ５６から圧縮画像データを入力し、必要に応じて伸長処理を行い、さらに表示部６２に画像を表示するための処理を行って表示部６２へ画像を表示し終えるまでの間に多少の時間を要する。このように待ち時間を要するのは、フラッシュメモリ５６のアクセス速度が比較的遅いことと、ＡＳＩＣ６０で圧縮画像データの伸長処理を行うのに時間を要することに起因する。この待ち時間よりも長い時間間隔でズームスイッチ２５をアップ操作すれば、表示部６２に表示される画像は図３（ａ）の１）から２）へ、２）から３）へ、…、と変化する。
【００３８】
図３（ｂ）は、ズームスイッチ２５を比較的短い時間間隔でアップ操作した場合に表示部６２に表示される画像が変化する様子を示している。図３（ｂ）の１）に示されるような画像が表示されている状態でズームスイッチ２５のアップ操作を続けて２回、比較的短い時間間隔で行うと、表示部６２には２）、３）に示されるようにコマ番のみが表示される。そして、操作者が最後のアップ操作を行ってから所定の時間が経過すると、表示部６２に最後に表示されていたコマ番に対応する画像が４）に示されるように表示される。
【００３９】
以上のようにズームスイッチ２５を比較的短い時間間隔で操作するのは、操作者が目的とする画像のコマ番が現在表示部６２に表示されている画像のコマ番から離れているからであると考えられる。したがって、ズームスイッチ２５が上述のように早押しされた場合は、コマ番のみを表示してズームスイッチ２５の操作に対する応答性を向上させる。操作者は目的とする画像を検索するにあたり、表示装置６２に表示されるコマ番が目星をつけたコマ番に近づくまでズームスイッチ２５を早押しする。その後操作者は表示装置６２に表示されているコマ番に対応する画像が表示されるのを待つ。もし、表示装置６２に表示されている画像が目的とする画像ではない場合、操作者はズームスイッチ２５をダウン操作またはアップ操作する。このようにして、操作者は迅速に目的とする画像を検索することができる。
【００４０】
図３（ｃ）は、表示部６２にフル画面が表示されている状態でダイヤルスイッチ２８を操作した場合に表示部６２へ表示される画像が変化する様子を示している。図３（ｃ）の１）に示されるような画像が表示されている状態でダイヤルスイッチ２８を時計回方向、あるいは反時計回り方向いずれかの方向に操作すると、たとえば図３（ｃ）の２）に示されるようにコマ番１の画像データに付随する付随情報がコマ番とともに表示される。つまり、ダイヤルスイッチ２８が操作される前に表示部６２に表示されていたコマ番の画像に付随する付随情報が図３（ｃ）の２）で示されるように表示部６２に表示される。このように付図情報が表示部６２に表示されている状態でダイヤルスイッチ２８を操作すると、表示部６２に表示されている付随情報に対応する画像データに基づく画像が図３（ｃ）の３）で示されるように表示される。なお、表示部６２に付随情報が表示されている状態でズームスイッチ２５を操作すると、ズームスイッチ２５のアップ操作またはダウン操作に応じたコマ番の画像が表示部６２に表示される。
【００４１】
上述したフル画面表示モードの状態にて表示モード切換スイッチ２２を１回押すと、電子カメラ１００の表示モードはフル画面表示モードから一覧表示モード、すなわちサムネイル表示モードに切り換えられる。サムネイル表示モードでは、たとえば９つのサムネイル画像が３行×３列の配列で表示装置６２に表示される。このとき、サムネイル表示モードに切り替わる前にフル画面表示されていたコマ番のサムネイル画像が、原則として９つサムネイル画像の中心に位置するように表示部６２に表示される。また、上記コマ番のサムネイル画像にカーソルが表示される。このカーソルは、９つのサムネイル画像中のうちの一つまたは複数を操作者が特定するために用いられる。
【００４２】
なお、上記原則に沿わないサムネイル画像の表示形態については後で詳しく説明する。また、以下の説明において、サムネイル表示モードに際して表示部６２に一覧表示される画像の最大数は９であるものとして説明するが、本発明は９画像に限定されるものではない。
【００４３】
サムネイル表示モード時にズームスイッチ２５を操作することにより、上述したカーソルの表示位置を１コマずつ移動させることができる。たとえば、コマ番１〜９のサムネイル画像が表示され、コマ番５のサムネイル画像の位置にカーソルが表示されている状態でズームスイッチ２５を１回アップ操作するとコマ番６のサムネイル画像の位置にカーソルが移動する。また、コマ番５のサムネイル画像の位置にカーソルが表示されている状態でズームスイッチ２５を１回ダウン操作するとコマ番４のサムネイル画像の位置にカーソルが移動する。
【００４４】
なお、上記例でコマ番１のサムネイル画像の位置にカーソルが表示されている状態でズームスイッチ２５をダウン操作した場合、あるいはコマ番９のサムネイル画像の位置にカーソルが表示されている状態でズームスイッチ２５をアップ操作した場合における表示部６２の表示内容の変化については後で説明する。
【００４５】
サムネイル表示モード時、ダイヤルスイッチ２８を操作することにより表示部６２に表示されている９画像に続く次の９画像、あるいは手前の９画像に表示画像を切り換えることができる。つまり、コマ番１９〜２７のサムネイル画像が表示されている状態でダイヤルスイッチ２８をたとえば反時計回りの方向に１クリック分回転させると表示部６２に表示されるサムネイル画像はコマ番９〜１８のものに切り替わる。逆に、コマ番１９〜２７のサムネイル画像が表示されている状態でダイヤルスイッチ２８をたとえば時計回りの方向に１クリック分回転させると表示部６２に表示されるサムネイル画像はコマ番２８〜３６のものに切り替わる。以下では、上述のように表示部６２に表示されるサムネイル画像を別のサムネイル画像に表示切換する動作を「ページ切換」と称する。
【００４６】
上述したズームスイッチ２５およびダイヤルスイッチ２８の操作によりサムネイル表示の内容が変化する様子について図４を参照して説明する。なお、以下の説明では初期状態において表示部６２にはコマ番１〜９のサムネイル画像が表示され、カーソルがコマ番１のサムネイル画像の表示位置にカーソルが表示されているものとする。また、図４（ａ）〜図４（ｂ）のそれぞれにおいて、かっこ付きの数字、つまり１）、２）、…が付されている枠のひとつひとつが表示部６２に表示される内容を模式的に表している。図４（ａ）〜図４（ｂ）において、比較的太い線で特定のコマ番のサムネイル画像を囲っているものがカーソルの表示されている様子を表している。
【００４７】
図４（ａ）〜図４（ｃ）の表示例に示されるように、それぞれのサムネイル画像の右下部にはコマ番が表示される。そして、図４（ｃ）の２）および３）の付されている枠内が空白となっているのは、対応するコマ番のサムネイル画像が表示されず、コマ番のみが画像として表示されることを示している。
【００４８】
図４（ａ）は、ズームスイッチ２５をアップ操作した場合に表示部６２に表示される画像が変化する様子を示している。図４（ａ）の１）に示されるようなサムネイル画像が表示部６２に表示されている状態でズームスイッチ２５をアップ操作すると、カーソルがコマ番２のサムネイル画像表示位置に移動する。このときの様子を図４（ａ）の２）に示す。以降、ズームスイッチ２５のアップ操作を繰り返すことによりカーソルの表示位置が図４（ａ）の３）および４）で示されるように１コマ分ずつ移動する。以上、図４（ａ）の１）から４）に至るまでの間、カーソルの表示位置が移動するのみで、一覧表示されているサムネイル画像の表示内容に変化はない。
【００４９】
表示部６２に表示される内容が図４（ａ）の４）に示される状態のときにズームスイッチ２５をアップ操作すると、表示部６２に表示されるサムネイル画像の表示内容が図４（ａ）の５）に示されるように切り替わる。すなわち、３行目に表示されていたコマ番号７〜９のサムネイル画像を１行目に表示し、２、３行目に新たなサムネイル画像としてコマ番号１０〜１５のサムネイル画像を表示する。このとき、コマ番号１０〜１５のサムネイル画像の画像データは、図２に示されるフラッシュメモリ５６から新たに読み出される。以下、上述のように表示部６２に表示されるサムネイル画像の一部を切り換える動作を「部分切換」と称する。
【００５０】
図４（ｂ）は、ダイヤルスイッチ２８の操作に応答して表示部６２に表示されるサムネイル画像がページ切換される様子を示している。この場合、ダイヤルスイッチ２８は比較的長い操作間隔で一定の回転方向に操作されている。つまり、表示部６２に図４（ｂ）の１）に示される状態の表示がなされている状態で操作者はダイヤルスイッチ２８をたとえば時計回りの方向に１クリック分操作する。すると、表示部６２に表示されるサムネイル画像はページ切換されて図４（ｂ）の２）に示されるように変化する。このとき、サムネイル画像のデータは図２に示すフラッシュメモリ５６から新たに読み込まれ、ＡＳＩＣ６０で伸長処理され、さらに表示部６２に一覧表示するために処理される。このため、図４（ｂ）の１）の状態から２）の状態に表示内容が切り替わるまでに多少の時間を要する。操作者は、このように表示部６２の表示内容が変化するのを待って次のダイヤルスイッチ２８の操作を行う。そして、表示部６２の表示内容が図４（ｂ）の２）の状態のときにダイヤルスイッチ２８を時計回りの方向に１クリック分操作すると３）の状態に変化し、反時計回りの方向に１クリック分操作すると１）の状態に変化する。上述のようにサムネイル画像がページ切換される場合、カーソルは後で説明する例外時を除き、ダイヤルスイッチ２８が操作される前の表示位置に表示される。図４（ｂ）の例においては、カーソルは第１行第１列の位置に表示されており、この位置は図４（ｂ）の１）〜３）において変化がない。
【００５１】
図４（ｃ）は、ダイヤルスイッチ２８を比較的短い操作間隔で一定の回転方向に操作した場合における表示部６２の表示内容の変化を示している。図４（ｃ）の１）に示されるような画像が表示されている状態でダイヤルスイッチ２８を時計回りの方向に続けて２クリック分操作すると、表示部６２には図４（ｃ）の２）および３）に示されるようにコマ番のみが表示される。そして、操作者がダイヤルスイッチ２８の最後の操作を行ってから所定の時間が経過すると、表示部に最後に表示されていたコマ番に対応するサムネイル画像が４）に示されるように表示される。
【００５２】
以上のようにダイヤルスイッチ２８を比較的短い時間間隔で操作するのは、操作者が目的とする画像のコマ番が現在表示部６２に表示されているサムネイル画像のコマ番から離れているからであると考えられる。したがって、ダイヤルスイッチ２８が上述のように比較的短い操作間隔で操作された場合は、コマ番のみを表示してダイヤルスイッチ２８の操作に対する応答性を向上させる。操作者は目的とする画像を検索するにあたり、表示装置６２に表示されるコマ番が目星をつけたコマ番に近づくまでダイヤルスイッチ２８を早回しする。その後操作者はサムネイル画像が表示装置６２に表示されるのを待つ。もし、表示装置６２に表示されているサムネイル画像中に目的とする画像のない場合、操作者はダイヤルスイッチ２８を時計回りの方向、あるいは反時計回りの方向に１クリック分操作する。このようにして、操作者は目的とする画像を迅速に検索することが可能となる。
【００５３】
操作者がズームスイッチ２５やダイヤルスイッチ２８を操作するのに応じて表示装置６２に表示される画像の表示内容を上述のように変更する動作は、図２に示されるＣＰＵ５０により制御される。以下、図２、図５および図６を参照してＣＰＵ５０による表示部６２への画像表示制御手順について説明する。
【００５４】
図５および図６に示されるフローチャートで示される画像表示制御手順は、モード切換スイッチ２３が再生モードに切り換えられたときにＣＰＵ５０により実行開始される。また、モード切換スイッチ２３がＯＦＦ、または撮影モードに切り換えられると、この表示制御手順の実行は中断される。図５および図６に示されるフローチャートの説明に先立ち、以下の説明文中で参照される変数について予め説明をしておく。
（１）  フル画面表示ポインタ  ＦＳＰ：
フル画面表示ポインタＦＳＰは、表示部６２への表示の対象となるフル画面の画像のコマ番を指定する変数である。
（２）  最終撮影コマ番  ＬＡＳＴ：
最終撮影コマ番ＬＡＳＴには、電子カメラ１００で一番最後に撮影された画像のコマ番号が代入される。
（３）  サムネイル表示ポインタ  ＴＮＰ：
サムネイル表示ポインタＴＮＰは、表示部６２に表示される一連のサムネイル画像のコマ番のうちの最大値を指定する変数である。すなわち、表示部６２にはコマ番ＴＮＰ−８、ＴＮＰ−７、…、ＴＮＰ−１、ＴＮＰのサムネイル画像が表示される。
（４）  カーソルポインタ  ＣＰ：
カーソルポインタＣＰは、表示部６２に表示されるサムネイル画像中の先頭から何番目のサムネイル画像にカーソルを表示させるかを指定する変数である。すなわち、カーソルポインタＣＰの値が２であれば先頭から２番目（第１行第２列）のサムネイル画像にカーソルが表示される。
【００５５】
ステップＳ１０１においてＣＰＵ５０は、フル画面表示ポインタＦＳＰに最終撮影コマの番号すなわちＬＡＳＴを代入する。ＣＰＵ５０は、ステップＳ１０２においてＡＳＩＣ６０にフル画面表示指令を発する。このフル画面表示指令を受け、ＡＳＩＣ６０は画像表示を開始する。すなわち、ＡＳＩＣ６０はフラッシュメモリ５６内に記憶されている圧縮画像データ中よりフル画面表示ポインタＦＳＰで指定されるコマ番の圧縮画像データを読み、必要に応じて伸長処理を行い、表示部６２にフル画面の画像を表示する一連の動作を開始する。つまり、表示部６２では最終撮影コマの画像の表示が開始される。
【００５６】
ステップＳ１０３においてＣＰＵ５０は、タイマーをスタートする。このタイマーには、ＡＳＩＣ６０が上述した画像表示の動作を開始してから終了するまでに要する時間がセットされる。
【００５７】
ステップＳ１０４においてＣＰＵ５０は、ズームスイッチ２５の操作の有無を判定する。ステップＳ１０４での判定が肯定されると、ＣＰＵ５０はステップＳ１０６に進み、フル画面表示ポインタＦＳＰの処理を行う。ステップＳ１０６におけるフル画面表示ポインタＦＳＰの処理について以下に説明する。
【００５８】
ズームスイッチ２５がアップ操作されていることを検知するとＣＰＵ５０は、フル画面表示ポインタＦＳＰに１を加算する。その結果、フル画面表示ポインタＦＳＰの値がＬＡＳＴ＋１となる場合、ＣＰＵ５０はフル画面表示ポインタＦＳＰに１を代入する。つまり、フル画面表示ポインタＦＳＰの値がＬＡＳＴとなっている状態でズームスイッチ２５がアップ操作された場合、ＣＰＵ５０はフル画面表示ポインタＦＳＰに１を代入する。
【００５９】
一方、ズームスイッチ２５がダウン操作されていることを検知するとＣＰＵ５０は、フル画面表示ポインタＦＳＰから１を減じる。その結果、フル画面表示ポインタＦＳＰの値が０となる場合、ＣＰＵ５０はフル画面表示ポインタＦＳＰにＬＡＳＴを代入する。つまり、フル画面表示ポインタＦＳＰの値が１となっている状態でズームスイッチ２５がダウン操作された場合、ＣＰＵ５０はフル画面表示ポインタＦＳＰにＬＡＳＴを代入する。
【００６０】
ステップＳ１０７においてＣＰＵ５０は、ステップＳ１０３でスタートさせたタイマーの計時が終了しているか否かを判定する。タイマーの計時が終了している、ということはＡＳＩＣ６０による表示部６２への画像表示動作が完了していることを意味する。
【００６１】
ステップＳ１０７での判定が肯定される、すなわちＡＳＩＣ６０による前の画像の表示動作が完了していると判定されるとＣＰＵ５０はステップＳ１０２に戻る。ＣＰＵ５０による上記動作により、表示部６２への次の画像の表示動作が始まる。一方、ステップＳ１０７での判定が否定される、すなわちＡＳＩＣ６０による前の画像の表示動作が完了していないと判定されるとＣＰＵ５０はステップＳ１０８に分岐する。ステップＳ１０８においてＣＰＵ５０は、ＡＳＩＣ６０に対して前の画像の表示動作を中断してコマ番（＝ＦＳＰ）のみを表示部６２に表示する指令を発する。ＣＰＵ５０は、ステップＳ１０８での処理を終えるとステップＳ１０２に戻る。したがって、表示部６２にコマ番のみが表示された状態で操作者が次のズームスイッチ２５の操作を一定時間行わない場合、表示部６２にはフル画面表示ポインタＦＳＰで指定される次の画像の表示が始まる。反対に、操作者がズームスイッチ２５の早押しを繰り返した場合にはコマ番号のみが表示部６２に表示される。ＣＰＵ５０による以上の動作が図３（ａ）および図３（ｂ）に示されるものに相当する。
【００６２】
ステップＳ１０４での判定が否定されると、ＣＰＵ５０はステップＳ１１０に分岐してダイヤルスイッチ２８の操作の有無を判定する。ステップＳ１１０での判定が肯定されるとＣＰＵ５０はステップＳ１１１に進み、表示部６２に表示される内容の切換を行う。すなわち、図３（ｃ）を参照して説明した表示内容の切換制御を行う。
【００６３】
ステップＳ１１２においてＣＰＵ５０は、ステップＳ１０３でスタートさせたタイマーを停止させてから新たな時間を設定してタイマーを再スタートさせ、ステップＳ１０４に戻る。このとき、タイマーに新たに設定される時間は表示内容切換動作に応じて異なる。つまり、ステップＳ１１１で、フル画面表示されている状態から付随情報が表示される状態に切り換えられる場合には、表示切換にさほど時間を必要としないので比較的短い時間がセットされる。逆に、付随情報が表示されている状態からフル画面表示される状態に切り換えられる場合にはステップＳ１０３で設定されるのとほぼ同じ時間が設定される。あるいは、ステップＳ１１１で表示内容をフル画面表示から付随情報表示に切り換える際に、表示部６２に一度フル画面表示されたときのデータをＲＡＭ５２に記憶しておくこともできる。この場合、比較的短い時間でフル画面表示動作を完了することができるので、ステップＳ１１２で再設定されるタイマーの時間は比較的短い時間となる。
【００６４】
以上に説明したステップＳ１１０〜ステップＳ１１２の処理により、表示装置６２に表示される表示内容は以下のように変化する。すなわち、表示装置６２にフル画面表示ポインタＦＳＰで指定されるコマ番の画像が表示されているときにダイヤルスイッチ２８が操作されると、上記コマ番の画像データに付随する情報が表示装置６２に表示される。逆に、表示装置６２に上記付随情報が表示されているときにダイヤルスイッチ２８が操作されるとフル画面表示ポインタＦＳＰで指定されるコマ番の画像データに基づく画像が表示される。
【００６５】
ステップＳ１１０での判定が否定されるとＣＰＵ５０はステップＳ１２０に分岐し、表示モード切換スイッチ２２の操作の有無を判定する。ステップＳ１２０での判定が肯定されるとＣＰＵ５０はステップＳ２００（図６）に進み、後述するサムネイル表示処理を行う。ステップＳ１２０での判定が否定されるとＣＰＵ５０はステップＳ１３０に進んで削除スイッチ２１等の他のスイッチの操作の有無を判定する。ＣＰＵ５０は、ステップＳ１３０での判定が肯定されるとステップＳ１３１で上記他のスイッチの操作に対応した処理を行ってからステップＳ１０４に戻る。ステップＳ１３０での判定が否定された場合には、ＣＰＵ５０は何の処理も行わずにステップＳ１０４に戻り、操作者による次の操作を待ち受ける。
【００６６】
以上がＣＰＵ５０によるフル画面表示モード時の制御手順である。続いてステップＳ２００から始まる、ＣＰＵ５０によるサムネイル表示モード時の制御手順について図６を参照して説明する。
【００６７】
ステップＳ２００においてＣＰＵ５０は、サムネイル表示ポインタＴＮＰおよびカーソルポインタＣＰの初期化を行う。ステップＳ２０１においてＣＰＵ５０は、ＡＳＩＣ６０に対してサムネイル画像表示開始指令を発する。ＡＳＩＣ６０は、ＴＮＰ−８〜ＴＮＰで指定されるコマ番のサムネイル画像データ（圧縮データ）をフラッシュメモリ５６から読み込んで伸長処理を行い、サムネイル画像を表示部６２に表示する。このときＡＳＩＣ６０は、ＴＮＰ−８〜ＴＮＰで指定されるコマ番のうち、画像データの存在しないものについてはサムネイル画像を表示しない。たとえば、サムネイル表示ポインタＴＮＰが３であれば、ＴＮＰ−８〜ＴＮＰは−５、−４、…、０、１、２、３となるので、コマ番１〜３のサムネイル画像のみを表示部６２に表示する。なお、上述したＡＳＩＣ６０のサムネイル画像表示動作においても、フラッシュメモリ５６からのサムネイル画像データを読み込みと伸長処理とを行うので、表示動作完了までに比較的長い時間を要する。
【００６８】
ここでステップＳ２００におけるサムネイル表示ポインタＴＮＰおよびカーソルポインタＣＰの初期化の処理内容について説明する。通常、サムネイル表示ポインタＴＮＰにはフル画面表示ポインタＦＳＰに４を加算して求められ、カーソルポインタＣＰには５が代入される。このようにサムネイル表示ポインタＴＮＰおよびカーソルポインタＣＰが初期化されることにより、サムネイル画像は以下に説明するように表示される。すなわち、サムネイル表示モードに切り換えられる前にフル画面表示されていたコマ番のサムネイル画像を中心として前後４コマずつ、計９コマのサムネイル画像が表示部６２に表示され、カーソルは上述のようにフル画面表示されていたコマ番のサムネイル画像の表示位置に表示される。
【００６９】
ただし、（ａ）フラッシュメモリ５６に記録されている画像のコマ数が９コマに満たない場合や、（ｂ）フル画面表示ポインタＦＳＰの値が４以下の場合、あるいは（ｃ）フル画面表示ポインタＦＳＰの値がＬＡＳＴ−３〜ＬＡＳＴの場合、上述したのとは異なる処理が行われる。
【００７０】
上記（ａ）の場合、サムネイル表示ポインタＴＮＰには最終撮影コマ番ＬＡＳＴの値が代入され、カーソルポインタＣＰにはフル画面表示ポインタＦＳＰの値が代入される。つまり、撮影コマ数が９コマに満たない場合にはフラッシュメモリ５６内に記録されるすべての画像をサムネイル表示し、カーソルはサムネイル表示モードに切り換えられる前にフル画面表示されていたコマ番のサムネイル画像の表示位置に表示される。
【００７１】
上記（ｂ）の場合、サムネイル表示ポインタＴＮＰには９が代入されカーソルポインタＣＰにはフル画面表示ポインタＦＳＰの値が代入される。つまり、フル画面表示ポインタＦＳＰが１〜４の場合、表示部６２に表示されるサムネイル画像はコマ番１〜コマ番９のものとなる。そして、フル画面表示ポインタＦＳＰで指定されるコマ番のサムネイル画像が表示されている位置にカーソルが表示される。
【００７２】
上記（ｃ）の場合、サムネイル表示ポインタＴＮＰには最終撮影コマのコマ番ＬＡＳＴの値が代入され、カーソルポインタＣＰには以下の式で求められる値が代入される。
ＣＰ＝９−（ＬＡＳＴ−ＦＳＰ）      …    式（１）
つまり、フル画面表示ポインタＦＳＰがＬＡＳＴ−３〜ＬＡＳＴの場合、表示部６２に表示されるサムネイル画像はコマ番ＬＡＳＴ−８〜ＬＡＳＴのものとなる。そして、フル画面表示ポインタＦＳＰで指定されるコマ番のサムネイル画像が表示されている位置にカーソルが表示される。
【００７３】
上記（ｂ）および（ｃ）の場合に、フル画面表示ポインタＦＳＰで指定されるコマ番の画像を中心にしてサムネイル画像表示をしない理由について説明する。サムネイル画像表示を行うときに、フラッシュメモリ５６に１０コマ以上の画像データが記録されている場合において、一番最初に撮影された画像と一番最後に撮影された画像とを表示部６２に同時に表示することはしない。このようにサムネイル画像の表示制御を行う理由は、撮影時間順に並べられる一連の画像データ中の先頭データおよび末尾データを見つけやすくするためである。
【００７４】
たとえば、フラッシュメモリ５６に１５コマ分の画像データが記録されていて、表示部６２にはコマ番１〜９のサムネイル画像が表示されている場合を考える。この状態でダイヤルスイッチ２８が表示するサムネイル画像のコマ番が増す方向に操作されてページ切換を行う場合、コマ番１０〜１５およびコマ番１〜３の計９コマのサムネイル画像を表示することもできる。しかし、このようにサムネイル画像を表示すると、一番最後に撮影した画像がどこにあるのかを直観的に把握することが難しくなる。そこで、上述したような場合にはコマ番１０〜１５のサムネイル画像のみを一覧表示する。
【００７５】
ただし、フラッシュメモリ５６に９コマ以上の画像データが記録されている場合、フル画面表示モードからサムネイル表示モードに表示モードが切り換えられた時点では、フル画面表示ポインタＦＳＰの値によらず９コマのサムネイル画像を表示する方がサムネイル画像の一覧性に優れる。ところが、上記（ｂ）および（ｃ）の場合にフル画面表示ポインタＦＳＰで指定されるコマ番の画像を中心として９コマのサムネイル画像表示を行おうとすると（ｂ）の場合にはサムネイル画像表示領域の先頭部分に、（ｃ）の場合には同領域の末尾部分に空白を生じる。そこで、上記（ｂ）の場合にはコマ番１〜９のサムネイル画像を表示し、（ｃ）の場合にはコマ番ＬＡＳＴ−８〜ＬＡＳＴのサムネイル画像を表示する。そして（ｂ）の場合および（ｃ）の場合とも、カーソルはフル画面表示ポインタＦＳＰで指定されるコマのサムネイル画像表示位置に表示する。
【００７６】
ステップＳ２０２においてＣＰＵ５０は、タイマーをスタートする。このタイマーには、ＡＳＩＣ６０が上述したサムネイル画像表示の動作を開始してから完了するまでに要する時間がセットされている。
【００７７】
ステップＳ２０３においてＣＰＵ５０は、ズームスイッチ２５の操作の有無を判定する。ステップＳ２０３での判定が肯定されると、ＣＰＵ５０はステップＳ２０４に進み、ステップＳ２０２でスタートさせたタイマーの計時が完了しているか否か、すなわち表示部６２へのサムネイル画像の表示が完了しているか否かを判定する。ステップＳ２０４での判定が肯定されるとＣＰＵ５０はステップＳ２０５に進む。一方、ステップＳ２０４での判定が否定されるとＣＰＵ５０はステップＳ２０３に戻る。すなわち、サムネイル表示動作が行われている途中では、ＣＰＵ５０はズームスイッチ２５の操作を受け付けない。
【００７８】
ステップＳ２０５においてＣＰＵ５０は、カーソルポインタＣＰおよびサムネイル表示ポインタＴＮＰの処理を行う。ステップＳ２０５におけるカーソルポインタＣＰおよびサムネイル表示ポインタＴＮＰの処理について説明する。ズームスイッチ２５がアップ操作されていることを検知するとＣＰＵ５０は、カーソルポインタＣＰに１を加算する。この計算の結果、（ａ）カーソルポインタＣＰの値が９を越す場合、ＣＰＵ５０は以下に説明する処理を行う。一方、（ｂ）上記計算の結果、カーソルポインタＣＰの値が９を越さない場合にはＣＰＵ５０は上記計算以外の処理を行わない。
【００７９】
上記（ａ）の場合でさらに、（ｃ）サムネイル表示ポインタＴＮＰに６を加算した値、すなわちＴＮＰ＋６が式（２）で表される範囲にある場合、カーソルポインタＣＰを式（３）より算出する。
ＬＡＳＴ＋６＞ＴＮＰ＋６＞ＬＡＳＴ    …  式（２）
ＣＰ＝９−（ＬＡＳＴ−ＴＮＰ）＋１    …  式（３）
なお、上記式（３）におけるＴＮＰの値は、６を加算する前の値である。ＣＰＵ５０は、続いてサムネイル表示ポインタＴＮＰにＬＡＳＴを代入する。また、上記（ａ）の場合で、（ｄ）ＴＮＰ＋６が以下の式（４）で示されるようになる場合、ＣＰＵ５０はサムネイル表示ポインタＴＮＰに９を代入し、カーソルポインタＣＰに１を代入する。
ＴＮＰ＋６＝ＬＡＳＴ＋６    …  式（４）
上記（ａ）の場合でさらに、（ｅ）サムネイル表示ポインタＴＮＰに６を加算してもＴＮＰの値がＬＡＳＴを越さない場合、ＣＰＵ５０はサムネイル表示ポインタＴＮＰの値に６を加算して新たなサムネイル表示ポインタＴＮＰの値とする。ＣＰＵ５０はまた、カーソルポインタＣＰには４を代入する。
【００８０】
上記（ａ）〜（ｅ）それぞれの場合について説明する。まず（ｂ）の場合について説明すると、これは図４（ａ）の１）〜４）に示したカーソル表示位置の移動の処理のみが行われる場合に相当する。そして（ａ）の場合が図４（ａ）の４）から５）へのサムネイル画像表示の部分切換の処理が行われる場合に相当する。（ａ）の場合、３行×３列のサムネイル画像表示エリアの３行目に表示されている３コマのサムネイル画像の表示位置を１行目に移動し、２行目、３行目に新たな６コマのサムネイル画像を表示する処理が後述するステップＳ２０７で行われる。しかしこのときに、フラッシュメモリ５６に記録されている画像のコマ数との兼ね合いで新たに表示可能な画像が６コマに満たない場合がある。たとえばズームスイッチ２５がアップ操作される前の段階でサムネイル表示ポインタＴＮＰの値がＬＡＳＴ−３の場合、新たに表示可能なサムネイル画像はＬＡＳＴ−２、ＬＡＳＴ−１、ＬＡＳＴの計３コマしかない。このような場合、ＣＰＵ５０は表示部６２にコマ番ＬＡＳＴ−８〜ＬＡＳＴのサムネイル画像が表示されるようにサムネイル表示ポインタＴＮＰの値を更新する。ＣＰＵ５０はさらにズームスイッチ２５がアップ操作される前にカーソルが表示されていたコマに続くサムネイル画像の表示位置にカーソルが表示されるようにサムネイル表示ポインタＴＮＰおよびカーソルポインタＣＰの値を更新する。これが上記（ｃ）の場合の処理である。
【００８１】
表示部６２に最後の９コマのサムネイル画像が表示されていて、カーソルが９番目のサムネイル画像表示位置に表示されている場合、ＣＰＵ５０はズームスイッチ２５のアップ操作を検知するとコマ番１〜９のサムネイル画像が表示部６２に表示されるようにサムネイル表示ポインタＴＮＰの値を更新する。ＣＰＵ５０はこのとき、カーソルがコマ番１のサムネイル画像の表示位置に表示されるようにカーソルポインタＣＰの値を更新する。これが上記（ｄ）の場合の処理である。
【００８２】
上記（ａ）〜（ｄ）のいずれの場合にも該当しないのが上記（ｅ）の場合である。この場合には、後述するステップＳ２０７の処理により、サムネイル画像表示の通常の部分切換が行われる。
【００８３】
ステップＳ２０５に関する以上の説明は、ズームスイッチ２５がアップ操作された場合の処理である。ズームスイッチ２５がダウン操作されたことを検知するとＣＰＵ５０は、上述した内容に準ずる処理を行う。以下、ズームスイッチ２５がダウン操作された場合におけるＣＰＵ５０の処理について説明する。
【００８４】
ズームスイッチ２５がダウン操作されていることを検知するとＣＰＵ５０は、カーソルポインタＣＰから１を減じる。この計算の結果、（ｐ）カーソルポインタＣＰの値が０となる場合、ＣＰＵ５０は以下に説明する処理を行う。一方、（ｑ）上記計算の結果、カーソルポインタＣＰの値が０とならない場合にはＣＰＵ５０は上記計算以外の処理を行わない。
【００８５】
上記（ｐ）の場合でさらに、（ｒ）サムネイル表示ポインタＴＮＰに６を減じた値、すなわちＴＮＰ−６が式（５）で表される範囲にある場合、カーソルポインタＣＰを式（６）より算出する。
９＞ＴＮＰ−６＞３    …  式（５）
ＣＰ＝ＴＮＰ−９      …  式（６）
なお、上記式（５）におけるＴＮＰの値は、６を減じる前の値である。ＣＰＵ５０は、続いてサムネイル表示ポインタＴＮＰに９を代入する。また、上記（ｐ）の場合で、（ｓ）ＴＮＰ−６が以下の式（７）で示されるようになる場合、ＣＰＵ５０はサムネイル表示ポインタＴＮＰにＬＡＳＴを代入し、カーソルポインタＣＰに９を代入する。
ＴＮＰ−６＝３    …  式（７）
上記（ｐ）の場合でさらに、（ｔ）サムネイル表示ポインタＴＮＰから６を減じてもＴＮＰの値が９以上となる場合、ＣＰＵ５０はサムネイル表示ポインタＴＮＰの値から６を減じて新たなサムネイル表示ポインタＴＮＰの値とする。ＣＰＵ５０はまた、カーソルポインタＣＰには６を代入する。
【００８６】
上記（ｐ）〜（ｔ）それぞれの場合について説明する。まず（ｑ）の場合について説明すると、これはカーソル表示位置の移動の処理のみが行われる場合に相当する。そして（ｐ）の場合がサムネイル画像表示の部分切換の処理が行われる場合に相当する。（ｐ）の場合、３行×３列のサムネイル画像表示エリアの１行目に表示されている３コマのサムネイル画像の表示位置を３行目に移動し、１行目、２行目に新たな６コマのサムネイル画像を表示する処理が後述するステップＳ２０７で行われる。しかしこのときに、表示部６２に表示されているサムネイル画像のコマ番との兼ね合いで新たに表示可能な画像が６コマに満たない場合がある。たとえばズームスイッチ２５がダウン操作される前の段階でサムネイル表示ポインタＴＮＰの値が１１の場合、表示部６２に表示されているサムネイル画像のコマ番は３〜１１である。このとき、ズームスイッチ２５がダウン操作されるのにともなって新たに表示可能なサムネイル画像はコマ番１、２の計２コマしかない。このような場合、ＣＰＵ５０は表示部６２にコマ番１〜９のサムネイル画像が表示されるようにサムネイル表示ポインタＴＮＰの値を更新する。ＣＰＵ５０はさらにさらに、ズームスイッチ２５がダウン操作される前にカーソルが表示されていたサムネイル画像のコマ番よりも一つ若いコマ番のサムネイル画像の表示位置にカーソルが表示されるようにカーソルポインタＣＰの値を更新する。これが上記（ｒ）の場合の処理である。
【００８７】
表示部６２にコマ番１〜９のサムネイル画像が表示されていて、カーソルが１番目のサムネイル画像表示位置に表示されている場合、ＣＰＵ５０はズームスイッチ２５のダウン操作を検知するとコマ番ＬＡＳＴ−８〜ＬＡＳＴのサムネイル画像が表示部６２に表示されるようにサムネイル表示ポインタＴＮＰの値を更新する。ＣＰＵ５０はこのとき、カーソルがコマ番ＬＡＳＴのサムネイル画像の表示位置に表示されるようにカーソルポインタＣＰの値を更新する。これが上記（ｓ）の場合の処理である。
【００８８】
上記（ｐ）〜（ｓ）のいずれの場合にも該当しないのが上記（ｔ）の場合である。この場合には、後述するステップＳ２０７の処理により、サムネイル画像表示の通常の部分切換が行われる。
【００８９】
ステップＳ２０６においてＣＰＵ５０は、ステップＳ２０５における上記処理の結果、サムネイル表示ポインタＴＮＰの値が変化したかどうか、すなわちサムネイル画像表示を部分切換するか否かを判定する。ステップＳ２０６の判定が肯定されるとＣＰＵ５０はステップＳ２０７に進み、表示部６２に表示されるサムネイル画像表示を部分切換する。続いてＣＰＵ５０は、ステップＳ２０８でサムネイル画像表示の部分切換に要する時間をタイマーに設定してこのタイマーをスタートさせ、ステップＳ２０３に戻る。
【００９０】
ステップＳ２０６における判定が否定されると、ＣＰＵ５０はステップＳ２０９に分岐してカーソル表示位置の移動処理のみを行い、ステップＳ２０３に戻る。
【００９１】
以上に説明したステップＳ２０３〜ステップＳ２０９の処理がズームスイッチ２５のアップ操作またはダウン操作に応じてＣＰＵ５０により行われるサムネイル画像表示の部分切換処理およびカーソル表示位置の移動処理である。
【００９２】
ステップＳ２０３での判定が否定される、すなわちズームスイッチ２５の操作が検出されない場合にＣＰＵ５０はステップＳ２１０に分岐し、ダイヤルスイッチ２８の操作の有無を判定する。ステップＳ２１０の判定が肯定されるとＣＰＵ５０はステップＳ２１１に進み、サムネイル表示ポインタＴＮＰおよびカーソルポインタＣＰの処理を行う。
【００９３】
ステップＳ２１１におけるサムネイル表示ポインタＴＮＰおよびカーソルポインタＣＰの処理について説明する。図４（ｂ）を参照して説明したように、サムネイル表示モードが設定されている場合にダイヤルスイッチ２８が操作されるとページ切換が行われる。つまり、表示部６２に表示されるサムネイル画像はダイヤルスイッチ２８の操作に応じて９コマ単位で切り換えられる。以下の説明では、ダイヤルスイッチ２８を時計回りの方向に１クリック分回転させる操作を「アップ操作」と称し、反時計回りの方向に１クリック分回転させる操作を「ダウン操作」と称する。なお、フラッシュメモリ５６に記録されている画像のコマ数が９コマ以下の場合、ページ切換すべき対象がない。この場合ＣＰＵ５０は、図６に示されていないがステップＳ２１１において何もせずにステップＳ２０３に戻る。以下の説明は、フラッシュメモリ５６に記録されている画像のコマ数が１０以上あることを前提としている。
【００９４】
ＣＰＵ５０は、ステップＳ２１１においてダイヤルスイッチ２８がアップ操作されたと判定すると、サムネイル表示ポインタＴＮＰに９を加算する。サムネイル表示ポインタＴＮＰに９を加算した結果に応じ、サムネイル表示ポインタＴＮＰの新たな値は以下に説明するように変更される。
【００９５】
サムネイル表示ポインタＴＮＰに９を加算した結果、サムネイル表示ポインタＴＮＰが以下の式（８）で示される値になる場合、ＣＰＵ５０はＴＮＰ＝９とする。
ＴＮＰ＝ＬＡＳＴ＋９        …  式（８）
サムネイル表示ポインタＴＮＰに９を加算した結果が上述のようにＬＡＳＴ＋９になる場合、表示部６２に表示すべきサムネイル画像として指定されるコマ番はＬＡＳＴ＋１〜ＬＡＳＴ＋９となる。つまり、表示可能なサムネイル画像は１コマも無い。したがって、上述の場合には先頭の９コマのサムネイル画像が表示されるよう、ＴＮＰ＝９とする。このとき、カーソルポインタＣＰの値には変更を加えない。
【００９６】
サムネイル表示ポインタＴＮＰに上述のように９を加算した結果、サムネイル表示ポインタＴＮＰが以下の式（９）で表される範囲にある場合、カーソルポインタ暫定値ＣＰＴを以下の式（１０）より求める。そしてこのカーソルポインタ暫定値ＣＰＴがカーソルポインタＣＰの値よりも小さい場合、式（１１）に示されるようにカーソルポインタＣＰの値を変更する。
ＬＡＳＴ＋９＞ＴＮＰ＞ＬＡＳＴ      …  式（９）
ＣＰＴ＝９−（ＴＮＰ−ＬＡＳＴ）    …  式（１０）
ＣＰ＝ＣＰＴ                        …  式（１１）
【００９７】
サムネイル表示ポインタＴＮＰの値が式（９）の範囲にある場合、表示部６２にはＬＡＳＴ以下のコマ番のサムネイル画像のみが表示される。たとえば、サムネイル表示ポインタＴＮＰ＝ＬＡＳＴ＋８の場合、サムネイル表示ポインタＴＮＰで指定されるコマ番はＬＡＳＴ、ＬＡＳＴ＋１、…、ＬＡＳＴ＋８となるので表示部６２に表示されるサムネイル画像はコマ番ＬＡＳＴのもののみとなる。このときのカーソルポインタ暫定値ＣＰＴは１となる。もしカーソルポインタＣＰの値が２以上となっている場合、カーソルポインタＣＰの値は１に変更される。このようにカーソルポインタＣＰの値が変更される理由は、サムネイル画像の表示されない位置にカーソルが表示されても意味をなさないからである。したがって、表示部６２に９コマのサムネイル画像が表示されず、かつカーソルがサムネイル画像の表示されない位置にある場合には、表示されるサムネイル画像中の末尾のサムネイル画像表示位置にカーソルを表示させる上記処理が行われる。
【００９８】
以上がステップＳ２１１においてダイヤルスイッチ２８がアップ操作されたと判定した場合のＣＰＵ５０の処理である。続いて、同じくステップＳ２１１においてダイヤルスイッチ２８がダウン操作されたと判定した場合のＣＰＵ５０の処理について説明する。ダイヤルスイッチ２８がダウン操作されたと判定するとＣＰＵ５０は、サムネイル表示ポインタＴＮＰから９を減じる。サムネイル表示ポインタＴＮＰから９を減じた結果に応じ、サムネイル表示ポインタＴＮＰの新たな値は以下に説明するように変更される。
【００９９】
サムネイル表示ポインタＴＮＰから９を減じた結果、サムネイル表示ポインタＴＮＰが以下の式（１２）で示される値になる場合、ＣＰＵ５０はサムネイル表示ポインタＴＮＰにＬＡＳＴを代入する。
ＴＮＰ≦０          …  式（１２）
式（１２）で示されるように、サムネイル表示ポインタＴＮＰから９を減じた結果が零または負になる場合、表示部６２に表示すべきサムネイル画像として指定されるコマ番はすべて零または負の値となる。つまり、表示可能なサムネイル画像は１コマもない。したがって、上述の場合には末尾９コマのサムネイル画像が表示されるよう、ＴＮＰ＝ＬＡＳＴとする。このとき、カーソルポインタＣＰの値には変更を加えない。
【０１００】
サムネイル表示ポインタＴＮＰから上述のように９を減じた結果、サムネイル表示ポインタＴＮＰが以下の式（１３）で表される範囲にある場合、カーソルポインタ暫定値ＣＰＴを以下の式（１４）より求める。そしてこのカーソルポインタ暫定値ＣＰＴがカーソルポインタＣＰの値よりも小さい場合、式（１５）に示されるようにカーソルポインタＣＰの値を変更する。
９＞ＴＮＰ＞０      …  式（１３）
ＣＰＴ＝ＴＮＰ      …  式（１４）
ＣＰ＝ＣＰＴ        …  式（１５）
【０１０１】
サムネイル表示ポインタＴＮＰの値が式（１３）の範囲にある場合、表示部６２にはコマ番１〜ＴＮＰのサムネイル画像のみが表示される。たとえば、サムネイル表示ポインタＴＮＰ＝２の場合、表示部６２に表示されるサムネイル画像はコマ番１〜２のもののみとなる。このときのカーソルポインタ暫定値ＣＰＴは２となる。もしカーソルポインタＣＰの値が３以上となっている場合、カーソルポインタＣＰの値は２に変更される。上述のようにして、表示部６２に９コマのサムネイル画像が表示されない場合で、かつカーソルがサムネイル画像の表示されない位置にある場合には、表示されるサムネイル画像中の末尾のサムネイル画像表示位置にカーソルが表示される。
【０１０２】
以上がＣＰＵ５０によるステップＳ２１１の処理である。続いてＣＰＵ５０は、ステップＳ２１２においてタイマーの計時が終了しているか否かを判定する。すなわちＣＰＵ５０は、ステップＳ２０１で開始されたサムネイル画像の表示動作、あるいはステップＳ２０７で開始されたサムネイル画像表示の部分切換動作が完了しているか否かを判定する。ステップＳ２１２での判定が肯定されると、ＣＰＵ５０はステップＳ２０１に戻り、ステップＳ２１１でのサムネイル表示ポインタＴＮＰおよびカーソルポインタＣＰの処理結果に基づくサムネイル画像の表示を開始するようＡＳＩＣ６０に指令を発する。
【０１０３】
ステップＳ２１２での判定が否定されると、ＣＰＵ５０はステップＳ２１３に分岐し、表示部６２に以下に説明するコマ番号表示処理を行う。ステップＳ２１３におけるコマ番号表示処理は、ステップＳ２１２の判定が否定されると行われることからも分かるように、サムネイル画像表示の更新の速度がダイヤルスイッチ２８の操作速度に追いつかない場合に行われる。つまり、表示部６２へのサムネイル画像の表示、あるいは部分切換が行われている最中にダイヤルスイッチ２８が操作された場合、サムネイル画像の表示動作を中断してコマ番号のみを表示する。これが図４（ｃ）の１）〜２）で示される表示内容変更の制御動作である。
【０１０４】
ＣＰＵ５０は、ステップＳ２１３での上記処理を終えてステップＳ２０１に戻る。そして、操作者がダイヤルスイッチ２８の操作を中断して所定時間が経過するとステップＳ２１３で表示されたコマ番号に対応するサムネイル画像が表示部６２に表示される。これが図４（ｃ）の３）〜４）で示される表示内容変更の制御動作である。一方、表示部６２へのサムネイル画像の表示または部分切換に要する時間、すなわちサムネイル画像表示所用時間よりも短い時間間隔で操作者がダイヤルスイッチ２８を操作すると、ステップＳ２１３での処理が繰り返し行われて、コマ番のみを表示した状態でページ切換動作が行われる。これが図４（ｃ）の２）〜３）で示される表示内容変更の制御動作である。
【０１０５】
操作者はまずダイヤルスイッチ２８を比較的短い時間間隔で操作し、目的とする画像が記録されていると思われるコマ番に近づくとダイヤルスイッチ２８を上述したサムネイル画像表示所用時間よりも長い時間間隔で操作する。操作者が上述のようにダイヤルスイッチ２８を操作することにより、目的とする画像を比較的短時間のうちに検索することが容易となる。
【０１０６】
ステップＳ２１０での判定が否定されると、ＣＰＵ５０はステップＳ２２０に分岐してレリーズスイッチ２６の操作が操作されたか否かを判定する。ステップＳ２２０での判定が肯定される、すなわちレリーズスイッチ２６が操作されたと判定すると、ＣＰＵ５０はステップＳ２２１で以下の式（１６）によりフル画面表示ポインタＦＳＰの新たな値を算出し、ステップＳ１０２に戻る。
ＦＳＰ＝ＴＮＰ−８＋ＣＰ      …    式（１６）
【０１０７】
ステップＳ２２０での判定が否定されると、ＣＰＵ５０はステップＳ２３０に分岐して他のスイッチの操作の有無を判定し、肯定されると操作されたスイッチの種類に対応する処理をステップＳ２３１で行う。ステップＳ２３０での判定が否定されるとＣＰＵ５０はステップＳ２０３に戻り、引き続きズームスイッチ２５、ダイヤルスイッチ２８、レリーズスイッチ２６およびその他のスイッチの操作の待ち受け動作を継続する。
【０１０８】
上記ステップＳ２２０およびステップＳ２２１におけるＣＰＵ５０の処理について説明する。操作者は、サムネイル表示モードにある電子カメラ１００のズームスイッチ２５およびダイヤルスイッチ２８を操作して目的とするサムネイル画像を検索し、このサムネイル画像の表示位置にカーソルを移動する。目的とするサムネイル画像に対応するフル画面表示の画像が見たいとき、操作者はレリーズスイッチ２６を操作する。すると、カーソルの表示されていたコマのサムネイル画像に対応するフル画面の画像が表示部６２に表示される。これがステップＳ２２０、ステップＳ２２１、そしてステップＳ１０２の処理である。このとき、表示部６２にはコマ番ＴＮＰ−８〜ＴＮＰのサムネイル画像が表示されており、カーソルは先頭からＣＰ番目のサムネイル画像表示位置に表示されている。したがって、カーソルの表示されているサムネイル画像のコマ番、すなわちフル画面表示したい画像のコマ番であるフル画面表示ポインタＦＳＰの値は上記の式（１６）で求めることができる。
【０１０９】
以上に説明したように、表示部６２にサムネイル画像が表示されている状態でズームスイッチ２５とダイヤルイスイッチ２８とを使い分けることにより、一覧表示されているサムネイル画像の表示切換単位を変えることができ、目的とする画像の検索を容易に行うことができる。
【０１１０】
また、上述したサムネイル画像の表示切換に要する時間よりも短い時間間隔でダイヤルスイッチ２８が操作された場合には、サムネイル画像の一覧表示をせずに一覧表示するサムネイル画像のコマ番のみを一覧表示する。つまり、比較的短い時間間隔でダイヤルスイッチ２８が操作された場合には、コマ番の一覧表示を切り換えることにより画面の表示切換に要する時間を短縮することができる。このため、ダイヤルスイッチ２８の操作に対する応答性を高められるので目的とする画像の検索を行うときの操作性を高めることができる。
【０１１１】
以上では、電子カメラに本発明を適用する例について説明したが、この例に限られるものではない。すなわち、記憶装置内に記憶されている情報を表示する情報表示装置に本発明は適用できる。たとえば、電子手帳、あるいはＰＤＡなどと称される個人用の情報機器を始めとして、文字情報や画像情報を表示可能な装置に本発明を適用することにより、情報の検索作業性を向上することができる。
【０１１２】
また、以上ではダイヤルスイッチ２８が比較的短い時間間隔で操作されて、このダイヤルスイッチ２８の操作速度にサムネイル画像の切換速度が追いつかない場合にサムネイル画像の表示をコマ番のみの情報に基づく表示に切り換える例について説明したが、この例に限られない。たとえば、コマ番に代えて撮影日時の情報等を表示するものであってもよい。あるいは、画面の表示切換に要する時間を短縮するため、画像を表示する際の表示色数を減らしたり、あるいは表示サイズを小さくしたりして一覧表示する情報の情報量を減じるものであってもよい。
【０１１３】
以上の実施の形態の説明において、フル画面表示モードでズームスイッチ２５が比較的短い時間間隔で操作され、このズームスイッチ２５の操作速度にフル画面表示の切換が追いつかないときにコマ番のみを表示する、という制御は行わない例について説明した。しかし、フル画面表示モードが選択されているときも、上記の場合にコマ番等、情報量を減じて表示を行い、ズームスイッチ２５やダイヤルスイッチ２８の操作に応じてこの表示を切り換えるものであってもよい。
【０１１４】
以上の発明の実施の形態と請求項との対応において、フラッシュメモリ５６が記憶媒体を、表示部６２が表示装置を、ＣＰＵ５０およびＡＳＩＣ６０が表示制御手段、第１の表示切換制御手段および第２の表示切換制御手段を、ズームスイッチ２５が第１の操作部材を、ダイヤルスイッチ２８が第２の操作部材を、撮影レンズ４２が撮影光学系を、ＣＣＤ４７が光電変換手段を、ＲＡＭ５２およびフラッシュメモリ５６が記憶手段を、ＡＳＩＣ６０が画像信号記録制御手段をそれぞれ構成する。
【０１１５】
【発明の効果】
以上に説明したように、
（１）  請求項１〜３に記載の発明によれば、第１の操作部材が操作された場合と第２の操作部材が操作された場合とで、一覧表示されている情報の表示切換をする際の表示切換単位が異なっているため、目的とする情報を検索する際の操作性を向上させることができる。また、これら第１および第２の部材は、情報表示装置が情報表示モードに設定されている場合と情報表示モードとは異なる動作モードに設定されている場合とで異なる用途を有しているので、情報表示装置に設ける操作部材の数を減じることができる。
（２）  請求項４または５に記載の発明によれば、情報の表示切換に要する時間よりも短い時間間隔で第１の操作部材が操作された場合に、表示する情報の量を減じることにより表示切換に要する時間を短縮して表示切換速度を増すことができる。このため、目的とする情報を検索する際の速さを増して操作性を向上させることができる。
（３）  請求項６に記載の発明によれば、撮影して得られた画像信号に基づくファイルが記録されている記憶手段中から目的とするファイルを迅速に検索することができる。
【図面の簡単な説明】
【図１】本発明の実施の形態に係る情報表示装置を有する電子カメラの外観を説明する図。
【図２】電子カメラの内部構成を概略的に説明するブロック図。
【図３】フル画面表示モード時に、表示部に表示される情報を切り換える際の制御の一例を説明する図。
【図４】サムネイル表示モード時に、表示部に表示される情報を切り換える際の制御の一例を説明する図。
【図５】情報の表示切換制御手順を説明するフローチャート。
【図６】図５に示す情報の表示切換制御手順に続いて行われる制御手順を説明するフローチャート。
【符号の説明】
２１      削除スイッチ
２２      表示モード切換スイッチ
２３      モード切換スイッチ
２５      ズームスイッチ
２６      レリーズスイッチ
２８      ダイヤルスイッチ
４７      ＣＣＤ
５０      ＣＰＵ
５２      ＲＡＭ
５４      ＲＯＭ
５６      フラッシュメモリ
６０      ＡＳＩＣ
【図１】
0004277341.tif 000002
【図２】
0004277341.tif 000003
【図３】
0004277341.tif 000004
【図４】
0004277341.tif 000005
【図５】
0004277341.tif 000006
【図６】
0004277341.tif 000007